(57)【要約】【課題】平型導体に加わる抜去方向を向く力によって、平型導体が意図せずにハウジングの収容室から抜去されてしまうことを防止し易くする。【解決手段】平型導体用コネクタ１０では、ハウジング１４の収容室１６からのＦＰＣの抜去を規制するロック位置と、当該抜去を許容するアンロック位置との間で変位可能とされたロック部材５８は、ＦＰＣの挿抜方向Ｚ及び厚み方向Ｘと直交する直交方向Ｙから見て厚み方向Ｘに対して傾斜する傾斜方向Ｓに沿ってスライド可能にハウジング１４に支持されている。【選択図】図５
2020161452.tif 000002
【特許請求の範囲】
【請求項１】
係止口が形成された平型導体を挿抜可能な収容室を有するハウジングと、
前記収容室に挿入された前記平型導体の前記係止口に差し込まれる係止凸部を有し、当該差し込みにより前記収容室からの前記平型導体の抜去を規制するロック位置と、前記係止凸部を前記係止口から抜け出させて前記抜去を許容するアンロック位置との間で変位可能に前記ハウジングに支持されたロック部材と、
前記ロック部材を前記ロック位置側へ付勢し、弾性変形することにより前記アンロック位置への前記ロック部材の変位を許容する付勢部と、
を備え、
前記ロック部材の前記変位は、前記平型導体の挿抜方向及び厚み方向と直交する直交方向から見て前記厚み方向に対して傾斜する傾斜方向に沿ったスライドである平型導体用コネクタ。
【請求項２】
前記ロック部材が前記ロック位置に位置する状態で前記平型導体に対して抜去方向を向く力が加わると、前記ロック部材に対して前記アンロック位置とは反対向きの力が加わる請求項１に記載の平型導体用コネクタ。
【請求項３】
前記ハウジングは、前記厚み方向に対して傾斜する傾斜面を有しており、
前記ロック部材は、前記傾斜面と摺動する摺動面を有しており、
前記傾斜面と前記摺動面とが摺動することで、前記ロック部材が前記ハウジングに対して前記傾斜方向にスライドする請求項１又は請求項２記載の平型導体用コネクタ。
【請求項４】
前記ロック部材は、前記収容室に挿入された前記平型導体を前記厚み方向の一側から押圧する押圧部を有しており、
前記ハウジングは、前記押圧部に押圧される前記平型導体を前記押圧部とは反対側から受け止める受圧部を有する請求項１〜請求項３の何れか１項に記載の平型導体用コネクタ。
【請求項５】
前記押圧部は、前記付勢部の付勢力によって前記平型導体を前記一側から押圧する請求項４記載の平型導体用コネクタ。
【請求項６】
前記ロック部材に対して前記反対向きの力が加わると、前記押圧部による前記平型導体の押圧力が増加する請求項２を引用する請求項４又は請求項５に記載の平型導体用コネクタ。
【請求項７】
前記ロック部材が前記ロック位置から前記アンロック位置へとスライドする方向は、前記直交方向から見て前記厚み方向に対して前記平型導体の挿入方向側に傾斜しており、
前記ロック部材は、前記挿入方向側へ向けて押圧されることにより、前記ロック位置から前記アンロック位置へとスライドする請求項１〜請求項６の何れか１項に記載の平型導体用コネクタ。
【請求項８】
前記ハウジングにおける前記直交方向の両側にはそれぞれ、互いに反対側を向く一対の前記傾斜面が、前記挿抜方向に離れて二組設けられており、
前記ロック部材における前記直交方向の両側にはそれぞれ、前記一対二組の傾斜面と摺動する一対二組の前記摺動面が設けられている請求項３又は請求項３を引用する請求項４〜請求項７の何れか１項に記載の平型導体用コネクタ。
【発明の詳細な説明】
【技術分野】
【０００１】
本発明は、ＦＰＣ（Flexible Printed Circuit）、ＦＦＣ（Flexible Flat Cable）、プリント基板などの平型導体が接続される平型導体用コネクタに関する。
【背景技術】
【０００２】
下記特許文献１には、ＦＰＣなどの平型導体が接続される平型導体用コネクタが開示されている。この平型導体用コネクタは、平型導体を挿入可能な収容室を有するハウジングと、収容室に挿入された平型導体と導通されるコンタクトと、ハウジングに対して回動可能に取り付けられた回動レバーとを有している。回動レバーの先端部には、平型導体に形成された切欠きに挿入されるフック部が形成されている。このコネクタでは、平型導体がハウジングの収容室に差し込まれると、平型導体の先端が回動レバーに当接し、回動レバーが回動される。これにより、上記フック部の先端部が平型導体の切欠きに挿入される。このように構成されているので、平型導体がハウジングの収容室に差し込まれるだけで、平型導体をコネクタに対して抜け止めすることができる。
【先行技術文献】
【特許文献】
【０００３】
【特許文献１】特開２０１６−１３６４６２号公報
【発明の概要】
【発明が解決しようとする課題】
【０００４】
しかしながら、上記の先行技術では、回動レバーのフック部の先端部が平型導体の切欠きに挿入された状態で、平型導体に対してコネクタから引き抜く方向（抜去方向）の力が加わると、フック部の先端部が平型導体の切欠きから抜け出す方向の回転モーメントが回動レバーに発生する可能性がある。そのような回転モーメントの発生は、平型導体が意図せずにハウジングの収容室から抜去されてしまうことの原因となる。
【０００５】
本発明は上記事実を考慮し、平型導体に加わる抜去方向を向く力によって、平型導体が意図せずにハウジングの収容室から抜去されてしまうことを防止し易いコネクタを提供することを目的とする。
【課題を解決するための手段】
【０００６】
請求項１に記載の発明に係る平型導体用コネクタは、係止口が形成された平型導体を挿抜可能な収容室を有するハウジングと、前記収容室に挿入された前記平型導体の前記係止口に差し込まれる係止凸部を有し、当該差し込みにより前記収容室からの前記平型導体の抜去を規制するロック位置と、前記係止凸部を前記係止口から抜け出させて前記抜去を許容するアンロック位置との間で変位可能に前記ハウジングに支持されたロック部材と、前記ロック部材を前記ロック位置側へ付勢し、弾性変形することにより前記アンロック位置への前記ロック部材の変位を許容する付勢部と、を備え、前記ロック部材の前記変位は、前記平型導体の挿抜方向及び厚み方向と直交する直交方向から見て前記厚み方向に対して傾斜する傾斜方向に沿ったスライドであり、前記ロック部材が前記ロック位置に位置する状態で前記平型導体に対して抜去方向を向く力が加わると、前記ロック部材に対して前記アンロック位置とは反対向きの力が加わる。
【０００７】
請求項１に記載の平型導体用コネクタによれば、ロック部材は、平型導体の挿抜方向及び厚み方向と直交する直交方向から見て平型導体の厚み方向に対して傾斜する傾斜方向に沿ってスライド可能にハウジングに支持されている。このスライドにより、ロック部材がハウジングに対してロック位置とアンロック位置との間で変位される。このロック部材がロック位置に位置する状態では、ロック部材に設けられた係止凸部が平型導体に形成された係止口に差し込まれることにより、収容室からの平型導体の抜去が規制される。また、ロック部材がアンロック位置に位置する状態では、係止凸部が係止口から抜け出すことにより、収容室からの平型導体の抜去が許容される。このロック部材は、付勢部によってロック位置側へ付勢されており、付勢部が弾性変形することでアンロック位置へのスライドを許容される。
【０００８】
ここで、この平型導体用コネクタでは、ロック部材は、ハウジングに対してスライドすることによってロック位置とアンロック位置との間で変位する。そのため、背景技術の欄で説明した平型導体用コネクタのように、回動レバー（ロック部材）のフック部の先端部（係止凸部）が平型導体の切欠き（係止口）に差し込まれた状態で、平型導体に対して抜去方向を向く力が加わっても、回動レバーに回転モーメントが発生しない。これにより、平型導体が意図せずにハウジングの収容室から抜去されてしまうことを防止し易くなる。
【０００９】
請求項２に記載の発明に係る平型導体用コネクタは、請求項１において、前記ロック部材が前記ロック位置に位置する状態で前記平型導体に対して抜去方向を向く力が加わると、前記ロック部材に対して前記アンロック位置とは反対向きの力が加わる。
【００１０】
請求項２に記載の平型導体用コネクタでは、ロック部材がロック位置に位置する状態、すなわちロック部材の係止凸部が平型導体の係止口に差し込まれた状態で、平型導体に対して抜去方向を向く力が加わると、ロック部材に対してアンロック位置とは反対向きの力が加わる。これにより、上記抜去方向を向く力によってロック部材がアンロック位置へとスライドされることが防止される。その結果、係止凸部が係止口に差し込まれた状態が維持されるので、平型導体が意図せずにハウジングの収容室から抜去されてしまうことを一層防止し易くなる。
【００１１】
請求項３に記載の発明に係る平型導体用コネクタは、請求項１又は請求項２において、前記ハウジングは、前記厚み方向に対して傾斜する傾斜面を有しており、前記ロック部材は、前記傾斜面と摺動する摺動面を有しており、前記傾斜面と前記摺動面とが摺動することで、前記ロック部材が前記ハウジングに対して前記傾斜方向にスライドする。
【００１２】
請求項３に記載の平型導体用コネクタによれば、ハウジングが有する傾斜面と、ロック部材が有する摺動面とが摺動することで、ロック部材がハウジングに対して前述した傾斜方向にスライドする。これにより、ハウジングの傾斜面に沿ってスムーズにロック部材をスライドさせることができる。
【００１３】
請求項４に記載の発明に係る平型導体用コネクタは、請求項１〜請求項３の何れか１項において、前記ロック部材は、前記収容室に挿入された前記平型導体を前記厚み方向の一側から押圧する押圧部を有しており、前記ハウジングは、前記押圧部に押圧される前記平型導体を前記押圧部とは反対側から受け止める受圧部を有する。
【００１４】
請求項４に記載の平型導体用コネクタによれば、ハウジングの収容室に挿入された平型導体を、ロック部材の押圧部とハウジングの受圧部とで挟んで保持（挟持）することができる。これにより、ハウジングに対する平型導体の不用意な変位（ガタつき）を防止できるので、当該不用意な変位に起因して平型導体が意図せずにハウジングの収容室から抜去されてしまうことを防止できる。
【００１５】
請求項５に記載の発明に係る平型導体用コネクタは、請求項４において、前記押圧部は、前記付勢部の付勢力によって前記平型導体を前記一側から押圧する。
【００１６】
請求項５に記載の平型導体用コネクタによれば、ロック部材をロック位置へと付勢する付勢部の付勢力によって、ロック部材の押圧部が平型導体を厚み方向の一側から押圧する。これにより、ロック部材の付勢用の付勢部を、平型導体の押圧にも利用することができるので、部品点数を増加させることなく、前述した平型導体の挟持を行うことが可能となる。
【００１７】
請求項６に記載の発明に係る平型導体用コネクタは、請求項２を引用する請求項４又は請求項５において、前記ロック部材に対して前記反対向きの力が加わると、前記押圧部による前記平型導体の押圧力が増加する。
【００１８】
請求項６に記載の平型導体用コネクタでは、ロック部材がロック位置に位置する状態、すなわちロック部材の係止凸部が平型導体の係止口に差し込まれた状態で、平型導体に対して抜去方向を向く力が加わることにより、ロック部材に対してアンロック位置とは反対向きの力が加わると、ロック部材の押圧部が平型導体を厚み方向の一側から押圧する押圧力が増加する。これにより、平型導体がロック部材の押圧部とハウジングの受圧部との間で強い力で挟まれるので、平型導体が意図せずにハウジングの収容室から抜去されてしまうことをより一層防止し易くなる。
【００１９】
請求項７に記載の発明に係る平型導体用コネクタは、請求項１〜請求項６の何れか１項において、前記ロック部材が前記ロック位置から前記アンロック位置へとスライドする方向は、前記直交方向から見て前記厚み方向に対して前記平型導体の挿入方向側に傾斜しており、前記ロック部材は、前記挿入方向側へ向けて押圧されることにより、前記ロック位置から前記アンロック位置へとスライドする。
【００２０】
請求項７に記載の平型導体用コネクタでは、ロック部材がロック位置からアンロック位置へとスライドする方向は、平型導体の挿抜方向及び厚み方向と直交する直交方向から見て平型導体の厚み方向に対して平型導体の挿入方向側に傾斜している。このロック部材は、上記挿入方向側へ向けて押圧されることにより、ロック位置からアンロック位置へとスライドする。このため、平型導体をハウジングの収容室から意図的に抜去する際には、ロック部材を押圧操作すればよいので、平型導体の抜去作業が容易である。
【００２１】
請求項８に記載の発明に係る平型導体用コネクタは、請求項３又は請求項３を引用する請求項４〜請求項７の何れか１項において、前記ハウジングにおける前記直交方向の両側にはそれぞれ、互いに反対側を向く一対の前記傾斜面が、前記挿抜方向に離れて二組設けられており、前記ロック部材における前記直交方向の両側にはそれぞれ、前記一対二組の傾斜面と摺動する一対二組の前記摺動面が設けられている。
【００２２】
請求項８に記載の平型導体用コネクタによれば、ハウジングにおいて、平型導体の挿抜方向及び厚み方向と直交する直交方向の両側には、それぞれ一対二組の傾斜面が挿抜方向に離れて設けられている。各組の傾斜面は、互いに反対側を向いて対をなしている。そして、ロック部材における上記直交方向の両側にそれぞれ設けられた一対二組の摺動面が、上記一対二組の傾斜面と摺動する。これにより、例えばハウジング及びロック部材において、上記直交方向の両側にそれぞれ一対一組の傾斜面及び摺動面が設けられる構成と比較して、各摺動面及び各傾斜面を小型化することができる。その結果、平型導体用コネクタの全体構成を小型化することが可能となる。
【発明の効果】
【００２３】
以上説明したように、本発明に係る平型導体用コネクタによれば、平型導体に加わる抜去方向を向く力によって、平型導体が意図せずにハウジングの収容室から抜去されてしまうことを防止し易くなる。
【図面の簡単な説明】
【００２４】
【図１】本発明の実施形態に係る平型導体用コネクタを示す斜視図である。
【図２】同平型導体用コネクタを示す斜視図である。
【図３】同平型導体用コネクタを示す平面図である。
【図４】同平型導体用コネクタを示す下面図である。
【図５】同平型導体用コネクタを示す分解斜視図である。
【図６】同平型導体用コネクタのハウジングを示す斜視図である。
【図７】同ハウジングを示す斜視図である。
【図８】同平型導体用コネクタのロック部材を示す斜視図である。
【図９】同ロック部材を示す斜視図である。
【図１０】平型導体の先端側部分を示す斜視図である。
【図１１】同平型導体用コネクタを図３のＣＳ１−ＣＳ１線に沿って切断した状態で示す斜視図である。
【図１２】同平型導体用コネクタを図３のＣＳ２−ＣＳ２線に沿って切断した状態で示す斜視図である。
【図１３Ａ】図３のＣＳ１−ＣＳ１線に沿った切断面を示す断面図であり、平型導体の挿入前の状態を示す図である。
【図１３Ｂ】平型導体の挿入途中の状態を示す図１３Ａに対応した断面図である。
【図１３Ｃ】ロック部材がロック位置に位置する状態を示す図１３Ａ及び図１３Ｂに対応した断面図である。
【図１３Ｄ】ロック部材がアンロック位置に位置する状態を示す図１３Ａ−図１３Ｃに対応した断面図である。
【図１４Ａ】図３のＣＳ２−ＣＳ２線に沿った切断面を示す断面図であり、平型導体の挿入前の状態を示す図である。
【図１４Ｂ】平型導体の挿入途中の状態を示す図１４Ａに対応した断面図である。
【図１４Ｃ】ロック部材がロック位置に位置する状態を示す図１４Ａ及び図１４Ｂに対応した断面図である。
【図１４Ｄ】ロック部材がアンロック位置に位置する状態を示す図１４Ａ−図１４Ｃに対応した断面図である。
【図１５Ａ】図３のＣＳ３−ＣＳ３線に沿った切断面を示す断面図であり、平型導体の挿入前の状態を示す図である。
【図１５Ｂ】平型導体の挿入途中の状態を示す図１５Ａに対応した断面図である。
【図１５Ｃ】ロック部材がロック位置に位置する状態を示す図１５Ａ及び図１５Ｂに対応した断面図である。
【図１５Ｄ】ロック部材がアンロック位置に位置する状態を示す図１５Ａ−図１５Ｃに対応した断面図である。
【図１６Ａ】図３のＣＳ４−ＣＳ４線に沿った切断面を示す断面図であり、平型導体の挿入前の状態を示す図である。
【図１６Ｂ】平型導体の挿入途中の状態を示す図１６Ａに対応した断面図である。
【図１６Ｃ】ロック部材がロック位置に位置する状態を示す図１６Ａ及び図１６Ｂに対応した断面図である。
【図１６Ｄ】ロック部材がアンロック位置に位置する状態を示す図１６Ａ−図１６Ｃに対応した断面図である。
【図１７Ａ】平型導体に抜去方向を向く力が加えられた状態を示す図１３Ａ−図１３Ｄに対応した断面図である。
【図１７Ｂ】平型導体に抜去方向を向く力が加えられた状態を示す図１６Ａ−図１６Ｄに対応した断面図である。
【図１８】本発明の実施形態に係る平型導体用コネクタの変形例を示す斜視図である。
【図１９】本発明の実施形態に係る平型導体用コネクタの変形例を示す斜視図である。
【発明を実施するための形態】
【００２５】
以下、図１〜図１９を用いて、本発明の一実施形態に係る平型導体用コネクタ１０について説明する。なお、説明の便宜上、各図中に適宜記す矢印ＦＲを平型導体用コネクタ１０の前方とし、矢印ＲＨを平型導体用コネクタ１０の右方とし、矢印ＵＰを平型導体用コネクタ１０の上方とする。以下、単に前後、左右、上下の方向を用いて説明する場合、平型導体用コネクタ１０に対する方向を示すものとする。これらの方向は、平型導体用コネクタ１０の使用状態での方向とは無関係である。また、各図においては、図面を見易くする関係から、一部の符号を省略している場合がある。
【００２６】
（構成）
図１〜図１７Ｂに示されるように、本実施形態に係る平型導体用コネクタ１０（以下、単に「コネクタ１０」と称する）は、平型導体としてのＦＰＣ１２（図１０参照）を挿抜可能な収容室１６を有するハウジング１４と、収容室１６からのＦＰＣ１２の抜去を規制するロック部材５８と、ロック部材５８を付勢する付勢部としての一対の付勢部材５６と、ハウジング１４に取り付けられた複数の端子（コンタクト）５４と、を備えている。このコネクタ１０は、図示しない基板に実装され、平型導体であるＦＰＣ１２（図１０、図１３Ｂ、図１３Ｃ参照）と電気的に接続されるものである。このＦＰＣ１２の先端部の幅方向両端部には、それぞれ係止口としての切欠き１３が形成されている。これらの係止口は孔であってもよい。
【００２７】
なお、各図中に適宜示される矢印Ｚは、ハウジング１４の収容室１６に対するＦＰＣ１２の挿抜方向であり、矢印Ｘは、ＦＰＣ１２の厚み方向であり、矢印Ｙは、挿抜方向Ｚ及び厚み方向Ｘと直交する直交方向としての端子配列方向である。厚み方向Ｘは、コネクタ１０の前後方向と一致しており、端子配列方向Ｙは、コネクタ１０の左右方向と一致しており、挿抜方向Ｚは、コネクタ１０の上下方向と一致している。以下の説明では、厚み方向Ｘを「前後方向」と称し、端子配列方向Ｙを「左右方向」と称し、挿抜方向Ｚを「上下方向」と称する場合がある。このコネクタ１０は、左右方向に対称な形状に形成されている。
【００２８】
（ハウジングについて）
図１〜図７、図１１〜図１７Ｂに示されるように、ハウジング１４は、左右方向を長手とする長尺な直方体状に形成されている。このハウジング１４は、例えば合成樹脂等の絶縁性材料によって製造されたものである。ハウジング１４の左右方向中間部における略前半部には、ハウジング１４を上下方向に貫通した収容室１６が形成されている。収容室１６は、上下方向視で左右方向を長手とする長尺状をなしている。この収容室１６には、上方側からＦＰＣ１２が挿入される構成になっている。収容室１６の前壁１８の後面には、上下方向に延びる複数（多数）の端子用溝２６が左右方向に並んで形成されている。また、収容室１６の後壁２０の前面における左右両端側には、上下方向に延びる左右一対の端子用溝２８（図３参照）が形成されている。
【００２９】
ハウジング１４の左右方向中間部における略後半部と、ハウジング１４の左右方向両端部とには、ロック部材５８を配置するための凹部３０が形成されている。この凹部３０は、主にハウジング１４の略上半部に形成されており、上下方向視で前方側が開放された略コ字状（略Ｕ字状）をなしている。この凹部３０は、収容室１６の略上半部の後方側に位置する後方凹部３０Ａと、後方凹部３０Ａの左右方向両端部から前方すなわち収容室１６の左右両側へ延びる左右一対の側方凹部３０Ｂと、左右の側方凹部３０Ｂよりも左右方向中央側で後方凹部３０Ａの左右両端側から下方側へ延びる下方凹部３０Ｃとを有している。
【００３０】
このハウジング１４において、後方凹部３０Ａの下方には、収容室１６よりも後方側に張り出した張出部３２が設けられている。この張出部３２の上部と収容室１６の後壁２０との間には、後壁２０を補強する複数の補強リブ３４が架け渡されている。複数の補強リブ３４は、左右方向に並んで配置されている。
【００３１】
ハウジング１４の左右両端部には、側方凹部３０Ｂから下方へ延びる付勢部材収容孔３６が形成されている。これらの付勢部材収容孔３６は、側方凹部３０Ｂに連通されると共に、ハウジング１４の下面で開口している。また、ハウジングの左右両端部には、側方凹部３０Ｂを介して収容室１６と対向する部位に、下方側かつ前方側を向いた第１傾斜面３８が形成されている。各第１傾斜面３８は、後方側へ向かって下り勾配に傾斜している。さらに、ハウジング１４の左右両端部において、各付勢部材収容孔３６と収容室１６の左壁２２及び右壁２４との間には、上方側かつ後方側を向いた第２傾斜面４０が形成されている。各第２傾斜面４０は、後方側へ向かって下り勾配に傾斜している。
【００３２】
また、このハウジング１４において、下方凹部３０Ｃの下面を構成する部分には、上方側かつ後方側を向いた第３傾斜面４２が形成されている。各第３傾斜面４２は、後方側へ向かって下り勾配に傾斜している。また、このハウジング１４において、張出部３２の左右両端部には、下方側かつ前方側を向いた第４傾斜面４４が形成されている。各第４傾斜面４４は、後方側へ向かって下り勾配に傾斜している。
【００３３】
第１傾斜面３８と第２傾斜面４０とは、互いに反対側を向いて対をなしており、第３傾斜面４２と第４傾斜面４４とは、互いに反対側を向いて対をなしている。つまり、ハウジング１４における左右方向の両側には、互いに反対側を向いて対をなす第１傾斜面３８及び第２傾斜面４０と、互いに反対側を向いて対をなす第３傾斜面４２及び第４傾斜面４４とが設けられている。
【００３４】
換言すれば、ハウジング１４における左右方向の両側にはそれぞれ、上下方向（挿抜方向Ｚ）に互いに離れて配置された一対の二組の傾斜面（第１傾斜面３８及び第２傾斜面４０と、第３傾斜面４２及び第４傾斜面）が設けられている。これらの第１傾斜面３８、第２傾斜面４０、第３傾斜面４２及び第４傾斜面４４（以下、単に「傾斜面３８、４０、４２、４４」と称する場合がある）は、前後方向（厚み方向Ｘ）に対して傾斜しており、ロック部材５８に設けられた後述する第１摺動面６４、第２摺動面６６、第３摺動面７８及び第４摺動面８０（以下、単に「摺動面６４、６６、７８、８０」と称する場合がある）に対応している。
【００３５】
このハウジング１４には、ロック部材５８をハウジング１４に取り付ける際に、第１摺動面６４を第１傾斜面３８に案内するための上側ガイド面４６と、第４摺動面８０を第４傾斜面４４に案内するための下側ガイド面４８とが形成されている。さらに、このハウジング１４には、収容室１６の左右方向両端部を後方凹部３０Ａ及び下方凹部３０Ｃに連通させた左右一対の開口部５０が形成されている。左右の開口部５０は、上下方向を長手とする長尺状をなしている。また、このハウジング１４では、収容室１６の前壁１８において、左右の開口部５０の下部と対向する部位が、それぞれ受圧部５２（図１３Ａ〜図１３Ｄ参照）とされている。
【００３６】
（端子について）
複数の端子５４は、例えば導電性を有する金属板が所定の形状に打ち抜かれて、略Ｌ字状に曲げ加工されたものである。これら複数の端子５４は、ハウジング１４に形成された複数の端子用溝２６、２８に嵌合されて、ハウジング１４に取り付けられており、ハウジング１４の収容室１６に挿入されたＦＰＣ１２に対して電気的に接続される構成になっている。なお、本実施形態では、収容室１６の後壁２０に形成された左右一対の端子用溝２８（図３及び図４参照）に嵌合される左右一対の端子５４Ａ（図５参照）は、グラウンド端子とされている。
【００３７】
複数の端子５４の下端部は、コネクタ１０が実装される図示しない基板の表面に沿うように屈曲されており、半田付け等の手段で基板に固定（電気的に接続）される構成になっている。これら複数の端子５４が基板に固定された状態では、コネクタ１０の上下方向と基板の厚み方向とが一致する構成になっている。
【００３８】
（付勢部材について）
一対の付勢部材５６（図５、図１２、図１４Ａ〜図１４Ｄ参照）は、例えばバネ材からなる金属板が所定の形状に打ち抜かれて、略Ｎ字状に曲げ加工されたものであり、ハウジング１４の左右の付勢部材収容孔３６内に収容されている。各付勢部材５６は、上下方向に延在し、付勢部材収容孔３６に嵌合されてハウジング１４に固定されたハウジング固定部５６Ａと、ハウジング固定部５６Ａの下端部から後方側へ延出された基板固定部５６Ｂと、ハウジング固定部５６Ａの上端部から下方側かつ前方側へ延出された第１弾性部５６Ｃと、第１弾性部５６Ｃの下端部から上方側へ延出された第２弾性部５６Ｄと、第２弾性部５６Ｄの上端部から上方側へ延出された接触部５６Ｅとによって構成されている。
【００３９】
基板固定部５６Ｂは、コネクタ１０が実装される図示しない基板の表面に沿うように延びており、半田付け等の手段で基板に固定（電気的に接続）される構成になっている。接触部５６Ｅは、左右方向から見て前方側かつ上方側へ凸をなすように湾曲している。この接触部５６Ｅは、ロック部材５８に対応している。
【００４０】
（ロック部材について）
図１〜図５、図８、図９、図１１〜図１７Ｂに示されるように、ロック部材５８は、左右方向を長手とする長尺な直方体状に形成されている。このハウジング１４は、例えば合成樹脂等の絶縁性材料によって製造されたものである。このロック部材５８は、ハウジング１４の後方凹部３０Ａに配置された本体部５８Ａと、本体部５８Ａの左右方向両端部から前方側へ延出され、ハウジング１４の左右の側方凹部３０Ｂに配置された左右一対の前延部５８Ｂと、本体部５８Ａの左右方向両端側から下方側へ延出され、ハウジング１４の左右の下方凹部３０Ｃに配置された左右一対の下延部５８Ｃと、左右の下延部５８Ｃから前方側へ突出した左右一対の突出部５８Ｄとを有している。
【００４１】
本体部５８Ａには、ハウジング１４に形成された複数の補強リブ３４が差し込まれる複数のスリット部６０が形成されている。また、左右の前延部５８Ｂの前端部には、左右方向外側へ突出した上側摺動部６２がそれぞれ形成されている。これらの上側摺動部６２の上部には、上方側かつ後方側を向いた第１摺動面６４が形成されている。また、左右の前延部５８Ｂの前端部の下端部には、下方側かつ後方側を向いた第２傾斜面４０が形成されている。第１摺動面６４及び第２摺動面６６は、後方側へ向かって下り勾配に傾斜している。これらの第１摺動面６４と第２摺動面６６とは、互いに反対側を向いて対をなしている。さらに、左右の前延部５８Ｂの前部の下面には、付勢部材５６が摺動（摺接）する付勢用摺動面６８が形成されている。付勢用摺動面６８は、下方側かつ後方側を向いており、前方側へ向かって下り勾配に傾斜している。
【００４２】
また、左右の突出部５８Ｄの上部は、本体部５８Ａの左右方向両端部に一体に繋がっており、左右の突出部５８Ｄの上面は、前方側へ向かって下り勾配に傾斜したＦＰＣ摺動面７０とされている。また、左右の突出部５８Ｄの先端部は、ＦＰＣ１２の左右の切欠き１３に差し込まれる係止凸部７２とされており、各係止凸部７２より下側で左右の突出部５８Ｄの前面は、ＦＰＣ１２を厚み方向の一側から押圧する押圧部（押圧面）７４とされている。
【００４３】
また、左右の下延部５８Ｃの下端部の前端部には、下方側かつ前方側を向いた第３摺動面７８が形成されている。さらに、左右の下延部５８Ｃの下端部には、左右方向中央側へ突出した左右一対の下側摺動部７６が形成されている。これらの下側摺動部７６の上部には、上方側かつ後方側を向いた第４摺動面８０が形成されている。第３摺動面７８及び第４摺動面８０は、後方側へ向かって下り勾配に傾斜している。第３摺動面７８と第４摺動面８０とは、互いに反対側を向いて対をなしている。つまり、このロック部材５８には、一対二組の摺動面（第１摺動面６４及び第２摺動面６６と、第３摺動面７８及び第４摺動面８０）が設けられている。
【００４４】
上記構成のロック部材５８は、ハウジング１４に対して後方側から取り付けられる。この取り付けの際には、ロック部材５８の上側摺動部６２がハウジング１４の上側ガイド面４６と摺動することで、ハウジング１４における上側ガイド面４６の周辺部が左右方向外側へ一時的に弾性変形した後に弾性復帰する。これにより、第１傾斜面３８が第１摺動面６４と接し、第２傾斜面４０が第２摺動面６６と接すると共に、ハウジング１４に形成された段部（符号省略）に上側摺動部６２が引っ掛かる。これにより、ロック部材５８の上部側がハウジング１４からの脱落を阻止される構成になっている。
【００４５】
また、上記取り付けの際には、ロック部材５８の下側摺動部７６がハウジング１４の下側ガイド面４８と摺動することで、ロック部材５８における下側摺動部７６の周辺部が左右方向外側へ一時的に弾性変形した後に弾性復帰する。これにより、第３傾斜面４２が第３摺動面７８と接し、第４傾斜面４４が第４摺動面８０と接すると共に、ハウジング１４に形成された段部（符号省略）に下側摺動部７６が引っ掛かる。これにより、ロック部材５８の下部側がハウジング１４からの脱落を阻止される構成になっている。
【００４６】
なお、前述した一対の付勢部材５６は、ロック部材５８がハウジング１４に取り付けられた後でハウジング１４に取り付けられる。この取り付けの際には、ハウジング１４の左右の付勢部材収容孔３６に対して左右の付勢部材５６が下方側から挿入される。それにより、各付勢部材５６のハウジング固定部５６Ａが各付勢部材収容孔３６に嵌合されると共に、各付勢部材５６の接触部５６Ｅがロック部材５８の左右の付勢用摺動面６８に押し当てられる構成になっている。
【００４７】
上記のようにしてハウジング１４に取り付けられたロック部材５８は、図１３Ａ、図１４Ａ、図１５Ａ、図１６Ａに示される挿入前位置（嵌合前位置）と、図１３Ｄ、図１４Ｄ、図１５Ｄ、図１６Ｄに示されるアンロック位置との間でスライド可能にハウジング１４に支持されている。このロック部材５８は、上記の挿入前位置とアンロック位置との間でハウジング１４に対してスライドする際に、図１３Ｂ、図１４Ｂ、図１５Ｂ、図１６Ｂに示される挿入途中位置（嵌合途中位置）と、図１３Ｃ、図１４Ｃ、図１５Ｃ、図１６Ｃに示されるロック位置とを通過する。
【００４８】
図１３Ａ、図１４Ａ、図１５Ａ、図１６Ａに示される挿入前位置は、ハウジング１４の収容室１６にＦＰＣ１２が挿入される前にロック部材５８が配置される位置である。図１３Ｂ、図１４Ｂ、図１５Ｂ、図１６Ｂに示される挿入途中位置は、収容室１６にＦＰＣ１２が挿入される途中でロック部材５８が配置される位置である。この挿入途中位置にロック部材５８が位置する状態では、ロック部材５８の係止凸部７２の先端面がＦＰＣ１２に対して厚さ方向の一側（ここでは後側）から接触する。
【００４９】
図１３Ｃ、図１４Ｃ、図１５Ｃ、図１６Ｃに示されるロック位置は、収容室１６へのＦＰＣ１２の挿入が完了した状態でロック部材５８が配置される位置である。このロック位置にロック部材５８が位置する状態では、ロック部材５８の係止凸部７２がＦＰＣ１２の切欠き１３に差し込まれることにより、収容室１６からのＦＰＣ１２の抜去が規制される構成になっている。また、図１３Ｄ、図１４Ｄ、図１５Ｄ、図１６Ｄに示されるアンロック位置は、ロック部材５８の係止凸部７２がＦＰＣ１２の切欠き１３から抜け出す位置である。このアンロック位置にロック部材５８が位置する状態では、収容室１６からのＦＰＣ１２の抜去が許容される構成になっている。
【００５０】
本実施形態では、ロック部材５８のロック位置は、挿入前位置よりも若干アンロック位置側に設定されており、ロック部材５８は、ハウジング１４に対してロック位置よりも若干前方側（アンロック位置とは反対側）へも変位可能とされている。
【００５１】
このロック部材５８のハウジング１４に対する変位は、左右方向（端子配列方向Ｙ；直交方向）から見て前後方向（ＦＰＣ１２の厚み方向Ｘ）に対して傾斜する傾斜方向（図１３Ａの矢印Ｓ方向）に沿ったスライドとされている。具体的には、ハウジング１４の傾斜面３８、４０、４２、４４と、ロック部材５８の摺動面６４、６６、７８、８０とが摺動することで、ロック部材５８がハウジング１４に対して上記傾斜方向Ｓにスライドする構成になっている。
【００５２】
また、図１２、図１４Ａ〜図１４Ｄに示されるように、ロック部材５８の左右の付勢用摺動面６８には、左右の付勢部材５６の接触部５６Ｅが押し当てられており、これらの付勢部材５６によってロック部材５８がロック位置側（本実施形態では挿入前位置側）へ付勢されている。このため、ハウジング１４の収容室１６にＦＰＣ１２が挿入されていない状態では、左右の付勢部材５６によってロック部材５８が挿入前位置に保持されている。その状態でＦＰＣ１２が収容室１６に挿入されると、ＦＰＣ１２の先端がロック部材５８の左右のＦＰＣ摺動面７０と摺動する。これにより、ロック部材５８に対してアンロック位置側へ向いた分力が作用し、ロック部材５８がアンロック位置側へスライドされる。この際には、図１４Ｂ〜図１４Ｄに示されるように、左右の付勢部材５６が弾性変形することにより、アンロック位置へのロック部材５８のスライドが許容される構成になっている。
【００５３】
そして、収容室１６へのＦＰＣ１２の挿入が完了すると、ロック部材５８の左右の係止凸部７２がＦＰＣ１２の左右の切欠き１３に差し込まれ、ロック部材５８が左右の付勢部材５６の付勢力によってロック位置へとスライドされる。ロック位置に位置するロック部材５８は、左右の付勢部材５６によって挿入前位置側へ付勢される。これにより、収容室１６に挿入されたＦＰＣ１２が、ロック部材５８の左右の押圧部７４によって厚み方向Ｘの一側（後方側）から押圧され、ハウジング１４の左右の受圧部５２に押し当てられる構成になっている。つまり、ロック部材５８の左右の押圧部７４は、左右の付勢部材５６の付勢力によってＦＰＣ１２を厚み方向Ｘの一側から押圧し、ハウジング１４の左右の受圧部５２とロック部材５８の左右の押圧部７４との間にＦＰＣ１２が挟まれる（挟持される）構成になっている。
【００５４】
また、本実施形態では、ロック部材５８がロック位置からアンロック位置へとスライドする方向は、左右方向（端子配列方向Ｙ；直交方向）から見て前後方向（厚み方向Ｘ）に対してＦＰＣ１２の挿入方向側（下方側）に傾斜した方向とされている。そして、このロック部材５８がロック位置からアンロック位置へとスライドされる際には、ロック部材５８が下方側へ押圧操作される構成になっている（図１３Ｄの矢印Ｐ参照）。このロック部材５８は、挿入方向側へ向けて押圧されることにより、ロック位置からアンロック位置へとスライドする構成になっている（図１３Ｄの矢印Ｓ１参照）。
【００５５】
また、本実施形態では、ロック部材５８がロック位置に位置する状態でＦＰＣ１２に対して抜去方向（上方）を向く力Ｒ（図１７Ａ及び図１７Ｂ参照）が加わると、ＦＰＣ１２の左右の切欠き１３の下縁部がロック部材５８の左右の係止凸部７２に対して下方側から当接する。これにより、ロック部材５８がハウジング１４に対して抜去方向へ変位しようとするが、このロック部材５８のハウジング１４に対する変位は、前述の傾斜方向Ｓに沿ったスライドに限られている。このため、ロック部材５８には、アンロック位置とは反対向きの力（挿入前位置側を向いた力）Ｓ２が加わる構成になっている。そして、このようにロック部材５８に対してアンロック位置とは反対向きの力Ｓ２が加わることにより、ロック部材５８の左右の押圧部７４によるＦＰＣ１２の押圧力が増加する構成になっている。
【００５６】
（作用及び効果）
次に、本実施形態の作用及び効果について説明する。
【００５７】
上記構成のコネクタ１０では、ロック部材５８は、左右方向（端子配列方向Ｙ；直交方向）から見て前後方向（ＦＰＣ１２の厚み方向Ｘ）に対して傾斜する傾斜方向Ｓに沿ってスライド可能にハウジング１４に支持されている。このスライドにより、ロック部材５８がハウジング１４に対してロック位置とアンロック位置との間で変位される。このロック部材５８がロック位置に位置する状態では、ロック部材５８に設けられた係止凸部７２がＦＰＣ１２に形成された切欠き１３に差し込まれることにより、収容室１６からのＦＰＣ１２の抜去が規制される。また、ロック部材５８がアンロック位置に位置する状態では、係止凸部７２が切欠き１３から抜け出すことにより、収容室１６からのＦＰＣ１２の抜去が許容される。このロック部材５８は、付勢部材５６によってロック位置側へ付勢されており、付勢部材５６が弾性変形することでアンロック位置への変位を許容される。
【００５８】
ここで、このコネクタ１０では、ロック部材５８は、ハウジング１４に対してスライドすることによってロック位置とアンロック位置との間で変位する。そのため、背景技術の欄で説明した平型導体用コネクタのように、回動レバー（ロック部材）のフック部の先端部（係止凸部）が平型導体（ＦＰＣ等）の切欠き（係止口）に差し込まれた状態で、平型導体に対して抜去方向を向く力が加わっても、ロック部材５８に回転モーメントが発生しない。これにより、ＦＰＣ１２が意図せずにハウジング１４の収容室１６から抜去されてしまうことを防止し易くなる。
【００５９】
しかも、このコネクタ１０では、ロック部材５８がロック位置に位置する状態、すなわちロック部材５８の係止凸部７２がＦＰＣ１２の切欠き１３に差し込まれた状態で、ＦＰＣ１２に抜去方向を向く力Ｒが加わると、ロック部材５８に対してアンロック位置とは反対向きの力Ｓ２が加わる。これにより、上記抜去方向を向く力Ｒによってロック部材５８がアンロック位置へとスライドされることが防止される。その結果、係止凸部７２が切欠き１３に差し込まれた状態が維持されるので、ＦＰＣ１２が意図せずにハウジング１４の収容室１６から抜去されてしまうことを一層防止し易くなる。
【００６０】
また、このコネクタ１０では、ハウジング１４は、厚み方向Ｘに対して傾斜する傾斜面３８、４０、４２、４４を有しており、ロック部材５８は、傾斜面３８、４０、４２、４４と摺動する摺動面６４、６６、７８、８０を有している。そして、傾斜面３８、４０、４２、４４と摺動面６４、６６、７８、８０とが摺動することで、ロック部材５８がハウジング１４に対して傾斜方向Ｓにスライドする。これにより、ハウジング１４の傾斜面３８、４０、４２、４４に沿ってスムーズにロック部材５８をスライドさせることができる。
【００６１】
さらに、このコネクタ１０では、ロック部材５８は、ハウジング１４の収容室１６に挿入されたＦＰＣ１２を厚み方向Ｘの一側（後側）から押圧する押圧部７４を有しており、ハウジング１４は、押圧部７４に押圧されるＦＰＣ１２を押圧部７４とは反対側（前側）から受け止める受圧部５２を有している。これにより、ハウジング１４の収容室１６に挿入されたＦＰＣ１２を、ロック部材５８の押圧部７４とハウジング１４の受圧部５２とで挟んで保持（挟持）することができる。その結果、ハウジング１４に対するＦＰＣ１２の不用意な変位（ガタつき）を防止できるので、当該不用意な変位に起因してＦＰＣ１２が意図せずにハウジング１４の収容室１６から抜去されてしまうことを防止できる。
【００６２】
また、このコネクタ１０では、ロック部材５８をロック位置側へ付勢する付勢部材５６の付勢力によって、ロック部材５８の押圧部７４がＦＰＣ１２を厚み方向Ｘの一側から押圧する。これにより、ロック部材５８の付勢用の付勢部を、ＦＰＣの上記押圧にも利用することができるので、部品点数を増加させることなく、前述したＦＰＣ１２の挟持（不用意なガタつき防止）を行うことが可能となる。
【００６３】
さらに、このコネクタ１０では、ロック部材５８がロック位置に位置する状態で、ＦＰＣ１２に対して抜去方向を向く力Ｒが加わることにより、ロック部材５８に対してアンロック位置とは反対向きの力Ｓ２が加わると、ロック部材５８の押圧部７４がＦＰＣ１２を厚み方向Ｘの一側から押圧する押圧力が増加する。これにより、ＦＰＣ１２がロック部材５８の押圧部７４とハウジング１４の受圧部５２との間で強い力で挟まれるので、ＦＰＣ１２が意図せずにハウジング１４の収容室１６から抜去されてしまうことをより一層防止し易くなる。
【００６４】
また、このコネクタ１０では、ロック部材５８がロック位置からアンロック位置へとスライドする方向は、ＦＰＣ１２の挿抜方向Ｚ及び厚み方向Ｘと直交する端子配列方向（直交方向）Ｙから見てＦＰＣの厚み方向Ｘに対してＦＰＣの挿入方向側（下方側）に傾斜している。このロック部材５８は、上記挿入方向側へ向けて押圧されることにより、ロック位置からアンロック位置へとスライドする。このため、ＦＰＣ１２をハウジング１４の収容室１６から意図的に抜去する際には、ロック部材５８を押圧操作すればよいので、ＦＰＣ１２の抜去作業が容易である。
【００６５】
また、このコネクタ１０では、ハウジング１４において、ＦＰＣ１２の挿抜方向Ｚ及び厚み方向Ｘと直交する直交方向Ｙの両側には、それぞれ一対二組の傾斜面（第１傾斜面３８及び第２傾斜面４０と、第３傾斜面４２及び第４傾斜面４４）が挿抜方向Ｚに離れて設けられている。各組の傾斜面（第１傾斜面３８及び第２傾斜面４０と、第３傾斜面４２及び第４傾斜面４４）は、互いに反対側を向いて対をなしている。そして、ロック部材５８における直交方向Ｙの両側にそれぞれ設けられた一対二組の摺動面（第１摺動面６４、第２摺動面６６、第３摺動面７８及び第４摺動面８０）が、上記一対二組の傾斜面と摺動する。これにより、例えばハウジング１４及びロック部材５８において、直交方向Ｙの両側にそれぞれ一対一組の傾斜面及び摺動面が設けられる構成と比較して、各摺動面６４、６６、７８、８０及び各傾斜面３８、４０、４２、４４を小型化することができる。その結果、コネクタ１０の全体構成を小型化することが可能となる。
【００６６】
つまり、上記のようにハウジング１４及びロック部材５８における直交方向Ｙの両側に一対一組の傾斜面及び摺動面が設けられる構成において、直交方向Ｙから見た場合のハウジング１４に対するロック部材５８の回転を防止するためには、例えば一対一組の傾斜面及び摺動面を傾斜方向に長く設定する必要がある。この点、本実施形態のように、ロック部材５８における直交方向Ｙの両側にそれぞれ一対二組の傾斜面及び摺動面が挿抜方向Ｚに離れて設けられる構成では、各組（各対）の傾斜面及び摺動面を傾斜方向に長く設定しなくても、直交方向Ｙから見た場合のハウジング１４に対するロック部材５８の回転を防止することができる。したがって、コネクタ１０の全体構成を小型化することが可能となる。
【００６７】
なお、上記実施形態では、複数の端子５４が基板に固定（例えば半田付け）されてコネクタ１０が基板に実装された状態で、コネクタ１０の上下方向（挿抜方向Ｚ）と基板の厚み方向とが一致する構成にしたが、これに限らず、図１８及び図１９に示される平型導体用コネクタ１０’（変形例）のように構成してもよい。この平型導体用コネクタ１０’では、ハウジング１４の左右の側面に取り付けられた固定金具８２が半田付け等の手段で基板に固定されることで基板に実装される。この実装状態では、平型導体用コネクタ１０’の前後方向（ＦＰＣ１２の厚み方向Ｘ）と基板の厚み方向とが一致する構成とされている。
【００６８】
また、上記実施形態では、ロック部材５８がロック位置からアンロック位置へとスライドする方向が、直交方向Ｙ（左右方向）から見て厚み方向Ｘ（前後方向）に対してＦＰＣ１２の挿入方向側（下方側）に傾斜した構成にしたが、これに限るものではない。すなわち、ロック部材５８がロック位置からアンロック位置へとスライドする方向が、直交方向Ｙ（左右方向）から見て厚み方向Ｘ（前後方向）に対してＦＰＣ１２の抜去方向側（上方側）に傾斜した構成にしてもよい。その場合、ロック部材５８の係止凸部７２及び押圧部７４が、ＦＰＣ１２に対して厚み方向Ｘの他側（前方側）に配置される構成になる。またその場合、ロック部材５８が抜去方向側（上方側）へ引き出される（引っ張られる）ことで、ロック部材５８がロック位置からアンロック位置へのスライドされる構成になる。
【００６９】
また、上記実施形態では、ＦＰＣ１２が平型導体とされた場合について説明したが、平型導体は、ＦＦＣ（Flexible Flat Cable）や、プリント基板であってもよい。
【００７０】
その他、本発明は、その要旨を逸脱しない範囲で種々変更して実施できる。また、本発明の権利範囲が上記実施形態に限定されないことは勿論である。
【符号の説明】
【００７１】
１０      平型導体用コネクタ
１２      ＦＰＣ（平型導体）
１３      切欠き（係止口）
１４      ハウジング
１６      収容室
３８、４０、４２、４４    傾斜面
５２      受圧部
５６      付勢部材（付勢部）
５８      ロック部材
７２      係止凸部
７４      押圧部
６４、６６、７８、８０    摺動面
【図１】
2020161452.tif 000003
【図２】
2020161452.tif 000004
【図３】
2020161452.tif 000005
【図４】
2020161452.tif 000006
【図５】
2020161452.tif 000007
【図６】
2020161452.tif 000008
【図７】
2020161452.tif 000009
【図８】
2020161452.tif 000010
【図９】
2020161452.tif 000011
【図１０】
2020161452.tif 000012
【図１１】
2020161452.tif 000013
【図１２】
2020161452.tif 000014
【図１３Ａ】
2020161452.tif 000015
【図１３Ｂ】
2020161452.tif 000016
【図１３Ｃ】
2020161452.tif 000017
【図１３Ｄ】
2020161452.tif 000018
【図１４Ａ】
2020161452.tif 000019
【図１４Ｂ】
2020161452.tif 000020
【図１４Ｃ】
2020161452.tif 000021
【図１４Ｄ】
2020161452.tif 000022
【図１５Ａ】
2020161452.tif 000023
【図１５Ｂ】
2020161452.tif 000024
【図１５Ｃ】
2020161452.tif 000025
【図１５Ｄ】
2020161452.tif 000026
【図１６Ａ】
2020161452.tif 000027
【図１６Ｂ】
2020161452.tif 000028
【図１６Ｃ】
2020161452.tif 000029
【図１６Ｄ】
2020161452.tif 000030
【図１７Ａ】
2020161452.tif 000031
【図１７Ｂ】
2020161452.tif 000032
【図１８】
2020161452.tif 000033
【図１９】
2020161452.tif 000034